(57)【要約】      （修正有）【課題】書類を運ぶために利用する、使用方法も簡単なデータ通信方法を提供する。【解決手段】第１ユーザデータを第１コンピューティングデバイスからデータストレージへ通信する１１０こと、第１ユーザデータを携帯ユーザデバイスの識別子と関連付ける１２０こと、識別子を携帯ユーザデバイスから第２コンピューティングデバイスへ送信する１３０こと及び識別子に基づいて、第２コンピューティングデバイスにおいて第１ユーザデータについてのリクエストを行う１４０こと、を含む。【選択図】図１
2015072702.tif 000002
【特許請求の範囲】
【請求項１】
データ通信方法であって、
携帯ユーザデバイスのブルートゥースメディアアクセスコントロール（ＭＡＣ）アドレスを前記携帯ユーザデバイスから、第１コンピューティングデバイスの第１ブルートゥースＭＡＣアドレス検出器によってブルートゥースを用いて検出すること、
第１ユーザデータ、および前記携帯ユーザデバイスから前記第１コンピューティングデバイスの前記第１ブルートゥースＭＡＣアドレス検出器によって検出された前記ブルートゥースＭＡＣアドレスを、前記第１コンピューティングデバイスからデータストレージへ通信すること、
前記通信された第１ユーザデータを前記通信されたブルートゥースＭＡＣアドレスと関連付けて前記データストレージに記憶すること、
前記携帯ユーザデバイスの前記ブルートゥースＭＡＣアドレスを、ブルートゥースを用いて前記携帯ユーザデバイスから、前記データストレージとデータ通信している第２コンピューティングデバイスの第２ブルートゥースＭＡＣアドレス検出器によって検出すること、および
ブルートゥースを用いて前記携帯ユーザデバイスから、前記第２コンピューティングデバイスの前記第２ブルートゥースＭＡＣアドレス検出器によって検出された前記ブルートゥースＭＡＣアドレスに基づいて、前記データストレージに記憶された前記第１ユーザデータについてのリクエストを前記第２コンピューティングデバイスにおいて行うこと
を含む方法。
【請求項２】
前記リクエストは、前記データストレージからの前記第１ユーザデータの通信に関する請求項１に記載の方法。
【請求項３】
前記リクエストは、前記第２コンピューティングデバイスへの前記第１ユーザデータの通信に関する
請求項１または２に記載の方法。
【請求項４】
前記リクエストは、前記第１ユーザデータのステータスに関する
請求項１に記載の方法。
【請求項５】
前記第１ユーザデータについてなされた前記リクエストは、第２ユーザによって実行される
請求項１〜４のいずれか１項に記載の方法。
【請求項６】
前記第１ユーザデータは、前記第１コンピューティングデバイスから前記データストレージへ第１通信ネットワークを介して通信される
請求項１〜５のいずれか１項に記載の方法。
【請求項７】
前記第１通信ネットワークはインターネットであり、前記第１ユーザデータは、前記第１コンピューティングデバイスから前記データストレージへアップロードされる
請求項６に記載の方法。
【請求項８】
前記第１ユーザデータは、前記データストレージから前記第２コンピューティングデバイスへ第２通信ネットワークを介して通信される
請求項１〜７のいずれか１項に記載の方法。
【請求項９】
前記第２通信ネットワークはローカルエリアネットワークであり、前記第１ユーザデータは、前記データストレージから前記第２コンピューティングデバイスへコピーされる
請求項８に記載の方法。
【請求項１０】
前記第２通信ネットワークはインターネットであり、前記第１ユーザデータは、前記データストレージから前記第２コンピューティングデバイスへダウンロードされる
請求項８に記載の方法。
【請求項１１】
前記データストレージをチェックすることによって、前記第１ユーザデータが前記第１コンピューティングデバイスから前記データストレージへある期間内に通信されたことを検証すること
をさらに含む請求項１〜１０のいずれか１項に記載の方法。
【請求項１２】
前記ブルートゥースＭＡＣアドレスをユーザの第１画像と関連付けること、および
前記第１画像に基づいて前記携帯ユーザデバイスから検出された前記ブルートゥースＭＡＣアドレスを認証すること
をさらに含む請求項１〜１１のいずれか１項に記載の方法。
【請求項１３】
前記データストレージから通信された第１ユーザデータを改変すること、および
改変された前記第１ユーザデータを前記第２コンピューティングデバイスから前記データストレージへ通信すること
をさらに含む請求項８〜１２のいずれか１項に記載の方法。
【請求項１４】
情報を前記携帯ユーザデバイスへ送信すること
をさらに含む請求項１〜１３のいずれか１項に記載の方法。
【請求項１５】
前記携帯ユーザデバイスへ送信された前記情報は、広告、販売促進用クーポン、および個人的なリマインダーからなるグループのうちの少なくとも１つを含む
請求項１４に記載の方法。
【請求項１６】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項１〜１５のいずれか１項に記載の方法。
【請求項１７】
前記携帯ユーザデバイスはブルートゥースデバイスであり、前記ブルートゥースＭＡＣアドレスはブルートゥースＩＤである
請求項１〜１６のいずれか１項に記載の方法。
【請求項１８】
前記携帯ユーザデバイスは携帯電話である
請求項１〜１７のいずれか１項に記載の方法。
【請求項１９】
前記携帯ユーザデバイスを送信可能なように設定すること
をさらに含む請求項１〜１８のいずれか１項に記載の方法。
【請求項２０】
前記携帯ユーザデバイスは、前記携帯ユーザデバイスのユーザによって設定されるよう構成される
請求項１９に記載の方法。
【請求項２１】
前記ブルートゥースＭＡＣアドレスは、ワイヤレスパーソナルエリアネットワーク（ＷＰＡＮ）規格に従って、前記第２コンピューティングデバイスの前記第２ブルートゥースＭＡＣアドレス検出器によって、前記携帯ユーザデバイスから検出される
請求項１〜２０のいずれか１項に記載の方法。
【請求項２２】
データ通信方法であって、
第１ユーザデータ、および携帯ユーザデバイスのブルートゥースメディアアクセスコントロール（ＭＡＣ）アドレスを第１コンピューティングデバイスから受け取ることであって、前記ブルートゥースＭＡＣアドレスは、ブルートゥースを用いて前記第１コンピューティングデバイスの第１ブルートゥースＭＡＣアドレス検出器によって前記携帯ユーザデバイスから以前に検出されている、ブルートゥースＭＡＣアドレスを受け取ることと、
前記受け取られたブルートゥースＭＡＣアドレスと関連付けて、前記受け取られた第１ユーザデータをデータストレージに記憶すること、
ブルートゥースを用いて、前記データストレージとデータ通信している第２コンピューティングデバイスの第２ブルートゥースＭＡＣアドレス検出器によって、前記携帯ユーザデバイスの前記ブルートゥースＭＡＣアドレスを、前記携帯ユーザデバイスから検出すること、および
ブルートゥースを用いて、前記第２コンピューティングデバイスの前記第２ブルートゥースＭＡＣアドレス検出器によって検出された前記ブルートゥースＭＡＣアドレスに基づいて、前記データストレージに記憶された前記第１ユーザデータについてのリクエストを前記第２コンピューティングデバイスにおいて行うこと
を含む方法。
【請求項２３】
前記第１ユーザデータの位置を記憶することによって、前記位置が取り出され得るようにすること
をさらに含む請求項２２に記載の方法。
【請求項２４】
前記リクエストは、前記データストレージからの前記第１ユーザデータの通信についてである
請求項２２に記載の方法。
【請求項２５】
前記リクエストは、前記第２コンピューティングデバイスへの前記第１ユーザデータの通信についてである
請求項２２〜２４のいずれか１項に記載の方法。
【請求項２６】
前記リクエストは、前記第１ユーザデータのステータスについてである
請求項２２〜２３のいずれか１項に記載の方法。
【請求項２７】
前記第１ユーザデータについてなされた前記リクエストは、第２ユーザによって実行される
請求項２２〜２６のいずれか１項に記載の方法。
【請求項２８】
前記第１ユーザデータについての前記通信は、前記第１コンピューティングデバイスから第１通信ネットワークを介して受け取られる
請求項２２〜２７のいずれか１項に記載の方法。
【請求項２９】
前記第１通信ネットワークはインターネットであり、前記第１ユーザデータは、前記第１コンピューティングデバイスから前記データストレージへアップロードされる
請求項２８に記載の方法。
【請求項３０】
前記第１ユーザデータについての前記リクエストは、第２通信ネットワークを介して前記第２コンピューティングデバイスにおいてなされる
請求項２２〜２９のいずれか１項に記載の方法。
【請求項３１】
前記第２通信ネットワークはローカルエリアネットワークであり、前記第１ユーザデータは、前記第２コンピューティングデバイスへコピーされる
請求項３０に記載の方法。
【請求項３２】
前記第２通信ネットワークはインターネットであり、前記第１ユーザデータは、前記第２コンピューティングデバイスにおいてダウンロードされる
請求項３０に記載の方法。
【請求項３３】
前記第１ユーザデータについての通信が前記第１コンピューティングデバイスからある期間内に受け取られたことをチェックし検証すること
をさらに含む請求項２２〜３２のいずれか１項に記載の方法。
【請求項３４】
前記ブルートゥースＭＡＣアドレスをユーザの第１画像と関連付けること、および
前記第１画像に基づいて前記第２コンピューティングデバイスの前記第２ブルートゥースＭＡＣアドレス検出器によって検出された前記ブルートゥースＭＡＣアドレスを認証すること
をさらに含む請求項２２〜３３のいずれか１項に記載の方法。
【請求項３５】
前記第２コンピューティングデバイスへ通信された第１ユーザデータを改変すること、および
改変された前記第１ユーザデータを前記第２コンピューティングデバイスからデータストレージへ通信すること
をさらに含む請求項３１〜３４のいずれか１項に記載の方法。
【請求項３６】
情報を前記携帯ユーザデバイスへ送信すること
をさらに含む請求項２２〜３５のいずれか１項に記載の方法。
【請求項３７】
前記携帯ユーザデバイスへ送信された前記情報は、広告、販売促進用クーポン、および個人的なリマインダーからなるグループのうちの少なくとも１つを含む
請求項３６に記載の方法。
【請求項３８】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項２２〜３７のいずれか１項に記載の方法。
【請求項３９】
前記携帯ユーザデバイスはブルートゥースデバイスであり、前記ブルートゥースＭＡＣアドレスはブルートゥースＩＤである
請求項２２〜３８のいずれか１項に記載の方法。
【請求項４０】
前記携帯ユーザデバイスは携帯電話である
請求項２２〜３９のいずれか１項に記載の方法。
【請求項４１】
前記ブルートゥースＭＡＣアドレスは、ワイヤレスパーソナルエリアネットワーク（ＷＰＡＮ）規格に従って前記第２コンピューティングデバイスの前記第２ブルートゥースＭＡＣアドレス検出器によって検出される
請求項２２〜４０のいずれか１項に記載の方法。
【請求項４２】
データコントローラであって、
第１ユーザデータ、および携帯ユーザデバイスのブルートゥースメディアアクセスコントロール（ＭＡＣ）アドレスを第１コンピューティングデバイスから受け取り、前記ブルートゥースＭＡＣアドレスは、ブルートゥースを用いて前記第１コンピューティングデバイスの第１ブルートゥースＭＡＣアドレス検出器によって前記携帯ユーザデバイスから以前に検出されている、ブルートゥースＭＡＣアドレスを受け取り、
前記受け取られたブルートゥースＭＡＣアドレスと関連付けて、前記受け取られた第１ユーザデータをデータストレージに記憶する
データコントローラと、
前記データストレージとデータ通信している第２コンピューティングデバイスであって、
（ｉ）ブルートゥースを用いて、前記携帯ユーザデバイスの前記ブルートゥースＭＡＣアドレスを前記携帯ユーザデバイスから検出する第２ブルートゥースＭＡＣアドレス検出器、および
（ｉｉ）ブルートゥースを用いて、前記第２ブルートゥースＭＡＣアドレス検出器によって検出された前記ブルートゥースＭＡＣアドレスに基づいて、前記データストレージ記憶された前記第１ユーザデータについてのリクエストを行うデータリクエスタ
を有する第２コンピューティングデバイスと
を備えるデータ通信システム。
【請求項４３】
前記第１ユーザデータを記憶するデータストレージをさらに備える請求項４２に記載のシステム。
【請求項４４】
前記データコントローラは、前記第１ユーザデータの位置を記憶することによって、前記位置が取り出され得るようにする
請求項４２に記載のシステム。
【請求項４５】
前記データリクエスタは、前記ブルートゥースＭＡＣアドレスの受け取りに応答してリクエストを行う
請求項４２〜４４のいずれか１項に記載のシステム。
【請求項４６】
前記リクエストは、前記データストレージからの前記第１ユーザデータの通信のためである
請求項４３に記載のシステム。
【請求項４７】
前記リクエストは、前記第２コンピューティングデバイスへの前記第１ユーザデータの通信のためである
請求項４２〜４６のいずれか１項に記載のシステム。
【請求項４８】
前記リクエストは、前記第１ユーザデータのステータスのためである
請求項４２〜４５のいずれか１項に記載のシステム。
【請求項４９】
前記データリクエスタは、第２ユーザが前記リクエストを行えるようさらに構成される請求項４２〜４８のいずれか１項に記載のシステム。
【請求項５０】
前記データリクエスタは、第１ユーザデータについての前記通信は、前記第１コンピューティングデバイスから第１通信ネットワークを介して受け取られる
請求項４２〜４９のいずれか１項に記載のシステム。
【請求項５１】
前記第１通信ネットワークはインターネットであり、前記第１ユーザデータは、前記第１コンピューティングデバイスから前記データストレージへアップロードされる
請求項５０に記載のシステム。
【請求項５２】
前記データコントローラは、第２通信ネットワークを介して第１ユーザデータについてリクエストするようさらに構成される
請求項４２〜５１のいずれか１項に記載のシステム。
【請求項５３】
前記第２通信ネットワークはローカルエリアネットワークであり、前記第１ユーザデータは、前記第２コンピューティングデバイスへコピーされる
請求項５２に記載のシステム。
【請求項５４】
前記第２通信ネットワークはインターネットであり、前記第１ユーザデータは、前記第２コンピューティングデバイスにおいてダウンロードされる
請求項５２に記載のシステム。
【請求項５５】
前記データコントローラは、前記第１ユーザデータについての通信が前記第１コンピューティングデバイスからある期間内に受け取られたことをチェックし検証するようさらに構成される
請求項４２〜５４のいずれか１項に記載のシステム。
【請求項５６】
前記データコントローラは、前記ブルートゥースＭＡＣアドレスをユーザの第１画像と関連付けるようさらに構成され、かつ
前記第２コンピューティングデバイスは、前記第１画像に基づいて、前記第２コンピューティングデバイスの前記第２ブルートゥースＭＡＣアドレス検出器によって検出された前記ブルートゥースＭＡＣアドレスを認証するブルートゥースＭＡＣアドレス認証機をさらに備える
請求項４２〜５５のいずれか１項に記載のシステム。
【請求項５７】
前記第２コンピューティングデバイスは、前記第２コンピューティングデバイスへ通信された第１ユーザデータを改変し、かつ改変された前記第１ユーザデータを前記第２コンピューティングデバイスからデータストレージへ通信する第２データコントローラをさらに備える
請求項５２〜５６のいずれか１項に記載のシステム。
【請求項５８】
前記データコントローラは、情報を前記携帯ユーザデバイスへ送信するようさらに構成される
請求項４２〜５７のいずれか１項に記載のシステム。
【請求項５９】
前記携帯ユーザデバイスへ送信された前記情報は、広告、販売促進用クーポン、および個人的なリマインダーからなるグループのうちの少なくとも１つを含む
請求項４２に記載のシステム。
【請求項６０】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項４２〜５９のいずれか１項に記載のシステム。
【請求項６１】
前記携帯ユーザデバイスはブルートゥースデバイスであり、前記ブルートゥースＭＡＣアドレスはブルートゥースＩＤである
請求項４２〜６０のいずれか１項に記載のシステム。
【請求項６２】
前記携帯ユーザデバイスは携帯電話である
請求項４２〜６１のいずれか１項に記載のシステム。
【請求項６３】
前記ブルートゥースＭＡＣアドレスは、ワイヤレスパーソナルエリアネットワーク（ＷＰＡＮ）規格に従って前記第２コンピューティングデバイスの第２ブルートゥースＭＡＣアドレス検出器によって検出される
請求項４２〜６２のいずれか１項に記載のシステム。
【請求項６４】
実行時に、請求項１〜４１のいずれか１項に記載の方法を実現するコンピュータプログラムコード。
【請求項６５】
請求項６４に記載のコンピュータコードを備えるコンピュータで読み取り可能な記憶媒体。
【発明の詳細な説明】
【技術分野】
【０００１】
本発明は、データ通信方法およびデータ通信システムに関する。
【背景技術】
【０００２】
従来、書類およびファイルは、書類カバンおよび通学カバンのような携帯カバンを用いて人間によって運ばれる。多くの場合、そのような書類を他人に提示するために、そのような書類は手元に置くことが要求されるか、望ましい。例えば、学生は、特定の宿題を自分の先生のうちの一人に提出することが必要とされるので、宿題を通学カバンの中に入れて運ぶ。同様に、買い物客は、ポイントを得たいので、特定のデパートで購入するときには、自分の「ポイント」カードを提示する。
【発明の概要】
【発明が解決しようとする課題】
【０００３】
今日、電子デバイスは、人々がそのような書類を運ぶために利用可能である。これらには、ノートパソコン、ＵＳＢメモリなどがある。これらの現代のツールは、残念ながら理想的なものではないが、それはしばしば使うのがめんどうであり、時間がかかるからである。例えば特定の文書をＵＳＢドライブ中で見つけるためには、関連する文書を含む適切なフォルダを手動で選択しなければならない。
【０００４】
代替のデータ通信方法に対する要求がある。
【課題を解決するための手段】
【０００５】
第１局面において、本発明は、データ通信方法を提供し、この方法は、第１ユーザデータを第１コンピューティングデバイスからデータストレージへ通信すること、前記第１ユーザデータを携帯ユーザデバイスの識別子と関連付けること、前記識別子を前記携帯ユーザデバイスから第２コンピューティングデバイスへ送信すること、および前記識別子に基づいて、前記第２コンピューティングデバイスにおいて前記第１ユーザデータについてのリクエストを行うことを含む。
【０００６】
ある実施形態において、前記リクエストは、前記データストレージからの前記第１ユーザデータの通信に関する。
【０００７】
ある実施形態において、前記リクエストは、前記第２コンピューティングデバイスへの前記第１ユーザデータの通信に関する。
【０００８】
ある実施形態において、前記リクエストは、前記第１ユーザデータのステータスに関する。
【０００９】
ある実施形態において、前記第１ユーザデータについてなされた前記リクエストは、第２ユーザによって実行される。
【００１０】
ある実施形態において、前記第１ユーザデータは、前記第１コンピューティングデバイスから前記データストレージへ第１通信ネットワークを介して通信される。
【００１１】
ある実施形態において、前記第１通信ネットワークはインターネットであり、前記第１ユーザデータは、前記第１コンピューティングデバイスから前記データストレージへアップロードされる。
【００１２】
ある実施形態において、前記第１ユーザデータは、前記データストレージから前記第２コンピューティングデバイスへ第２通信ネットワークを介して通信される。
【００１３】
ある実施形態において、前記第２通信ネットワークはローカルエリアネットワークであり、前記第１ユーザデータは、前記データストレージから前記第２コンピューティングデバイスへコピーされる。
【００１４】
ある実施形態において、前記第２通信ネットワークはインターネットであり、前記第１ユーザデータは、前記データストレージから前記第２コンピューティングデバイスへダウンロードされる。
【００１５】
ある実施形態において、前記方法は、前記データストレージをチェックすることによって、前記第１ユーザデータが前記第１コンピューティングデバイスから前記データストレージへある期間内に通信されたことを検証することをさらに含む。
【００１６】
ある実施形態において、前記方法は、前記識別子をユーザの第１画像と関連付けること、および前記第１画像に基づいて前記携帯ユーザデバイスから送信された前記識別子を認証することをさらに含む。
【００１７】
ある実施形態において、前記方法は、前記データストレージから通信された第１ユーザデータを改変すること、および改変された前記第１ユーザデータを前記第２コンピューティングデバイスから前記データストレージへ通信することをさらに含む。
【００１８】
ある実施形態において、前記方法は、情報を前記携帯ユーザデバイスへ送信することをさらに含む。
【００１９】
ある実施形態において、前記携帯ユーザデバイスへ送信された前記情報は、広告、販売促進用クーポン、および個人的なリマインダーからなるグループのうちの少なくとも１つを含む。
【００２０】
ある実施形態において、前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む。
【００２１】
ある実施形態において、前記携帯ユーザデバイスはブルートゥースデバイスであり、前記識別子はブルートゥースＩＤである。
【００２２】
ある実施形態において、前記携帯ユーザデバイスは携帯電話である。
【００２３】
ある実施形態において、前記方法は、前記携帯ユーザデバイスを送信可能なように設定することをさらに含む。
【００２４】
ある実施形態において、前記携帯ユーザデバイスは、前記携帯ユーザデバイスのユーザによって設定されるよう構成される。
【００２５】
ある実施形態において、前記識別子は、ワイヤレスパーソナルエリアネットワーク（ＷＰＡＮ）規格に従って前記携帯ユーザデバイスから前記第２コンピューティングデバイスへ送信される。
【００２６】
第２局面において、本発明はデータ通信方法を提供し、この方法は、第１ユーザデータについての通信を第１コンピューティングデバイスから受け取ること、前記第１ユーザデータに基づいて、携帯ユーザデバイスの識別子と関連付けてデータを記憶すること、第２コンピューティングデバイスにおいて前記識別子を受け取ること、および前記識別子に基づいて、前記第２コンピューティングデバイスにおいて前記第１ユーザデータについてのリクエストを行うことを含む。
【００２７】
ある実施形態において、前記方法は、データストレージに前記第１ユーザデータを記憶することをさらに含む。
【００２８】
ある実施形態において、前記方法は、前記第１ユーザデータの位置を記憶することによって、前記位置が取り出され得るようにすること
をさらに含む。
【００２９】
ある実施形態において、前記リクエストは、前記データストレージからの前記第１ユーザデータの通信についてである。
【００３０】
ある実施形態において、前記リクエストは、前記第２コンピューティングデバイスへの前記第１ユーザデータの通信についてである。
【００３１】
ある実施形態において、前記リクエストは、前記第１ユーザデータのステータスについてである。
【００３２】
ある実施形態において、前記第１ユーザデータについてなされた前記リクエストは、第２ユーザによって実行される。
【００３３】
ある実施形態において、前記第１ユーザデータについての前記通信は、前記第１コンピューティングデバイスから第１通信ネットワークを介して受け取られる。
【００３４】
ある実施形態において、前記第１通信ネットワークはインターネットであり、前記第１ユーザデータは、前記第１コンピューティングデバイスから前記データストレージへアップロードされる。
【００３５】
ある実施形態において、前記第１ユーザデータについての前記リクエストは、第２通信ネットワークを介して前記第２コンピューティングデバイスにおいてなされる。
【００３６】
ある実施形態において、前記第２通信ネットワークはローカルエリアネットワークであり、前記第１ユーザデータは、前記第２コンピューティングデバイスへコピーされる。
【００３７】
ある実施形態において、前記第２通信ネットワークはインターネットであり、前記第１ユーザデータは、前記第２コンピューティングデバイスにおいてダウンロードされる。
【００３８】
ある実施形態において、前記方法は、前記第１ユーザデータについての通信が前記第１コンピューティングデバイスからある期間内に受け取られたことをチェックし検証することをさらに含む。
【００３９】
ある実施形態において、前記方法は、前記識別子をユーザの第１画像と関連付けること、および前記第１画像に基づいて前記第２コンピューティングデバイスにおいて受け取られた前記識別子を認証することをさらに含む。
【００４０】
ある実施形態において、前記方法は、前記第２コンピューティングデバイスへ通信された第１ユーザデータを改変すること、および改変された前記第１ユーザデータを前記第２コンピューティングデバイスからデータストレージへ通信することをさらに含む。
【００４１】
ある実施形態において、情報を前記携帯ユーザデバイスへ送信することをさらに含む。
【００４２】
ある実施形態において、前記携帯ユーザデバイスへ送信された前記情報は、広告、販売促進用クーポン、および個人的なリマインダーからなるグループのうちの少なくとも１つを含む。
【００４３】
ある実施形態において、前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む。
【００４４】
ある実施形態において、前記携帯ユーザデバイスはブルートゥースデバイスであり、前記識別子はブルートゥースＩＤである。
【００４５】
ある実施形態において、前記携帯ユーザデバイスは携帯電話である。
【００４６】
ある実施形態において、前記識別子は、ワイヤレスパーソナルエリアネットワーク（ＷＰＡＮ）規格に従って前記第２コンピューティングデバイスにおいて受け取られる。
【００４７】
第３局面において、本発明はデータ通信システムを提供し、このシステムは、第１ユーザデータについての通信を第１コンピューティングデバイスから受け取り、前記第１ユーザデータに基づいて携帯ユーザデバイスの識別子と関連付けてデータを記憶するデータコントローラと、第２コンピューティングデバイスであって、（ｉ）前記識別子を受け取る識別子受信機、および（ｉｉ）前記識別子に基づいて、前記第１ユーザデータについてのリクエストを行うデータリクエスタを有する第２コンピューティングデバイスとを備える。
【００４８】
ある実施形態において、前記システムは、前記第１ユーザデータを記憶するデータストレージをさらに備える。
【００４９】
ある実施形態において、前記データコントローラは、前記第１ユーザデータの位置を記憶することによって、前記位置が取り出され得るようにする。
【００５０】
ある実施形態において、前記データリクエスタは、前記識別子の受け取りに応答してリクエストを行う。
【００５１】
ある実施形態において、前記リクエストは、前記データストレージからの前記第１ユーザデータの通信のためである。
【００５２】
ある実施形態において、前記リクエストは、前記第２コンピューティングデバイスへの前記第１ユーザデータの通信のためである。
【００５３】
ある実施形態において、前記リクエストは、前記第１ユーザデータのステータスのためである。
【００５４】
ある実施形態において、前記データリクエスタは、第２ユーザが前記リクエストを行えるようさらに構成される。
【００５５】
ある実施形態において、前記データリクエスタは、第１ユーザデータについての前記通信は、前記第１コンピューティングデバイスから第１通信ネットワークを介して受け取られる。
【００５６】
ある実施形態において、前記第１通信ネットワークはインターネットであり、前記第１ユーザデータは、前記第１コンピューティングデバイスから前記データストレージへアップロードされる。
【００５７】
ある実施形態において、前記データコントローラは、第２通信ネットワークを介して第１ユーザデータについてリクエストするようさらに構成される。
【００５８】
ある実施形態において、前記第２通信ネットワークはローカルエリアネットワークであり、前記第１ユーザデータは、前記第２コンピューティングデバイスへコピーされる。
【００５９】
ある実施形態において、前記第２通信ネットワークはインターネットであり、前記第１ユーザデータは、前記第２コンピューティングデバイスにおいてダウンロードされる。
【００６０】
ある実施形態において、前記データコントローラは、前記第１ユーザデータについての通信が前記第１コンピューティングデバイスからある期間内に受け取られたことをチェックし検証するようさらに構成される。
【００６１】
ある実施形態において、前記データコントローラは、前記識別子をユーザの第１画像と関連付けるようさらに構成され、かつ前記第２コンピューティングデバイスは、前記第１画像に基づいて前記第２コンピューティングデバイスにおいて受け取られた識別子を認証する識別子認証機をさらに備える。
【００６２】
ある実施形態において、前記第２コンピューティングデバイスは、前記第２コンピューティングデバイスへ通信された第１ユーザデータを改変し、かつ改変された前記第１ユーザデータを前記第２コンピューティングデバイスからデータストレージへ通信する第２データコントローラをさらに備える。
【００６３】
ある実施形態において、前記データコントローラは、情報を前記携帯ユーザデバイスへ送信するようさらに構成される。
【００６４】
ある実施形態において、前記携帯ユーザデバイスへ送信された前記情報は、広告、販売促進用クーポン、および個人的なリマインダーからなるグループのうちの少なくとも１つを含む。
【００６５】
ある実施形態において、前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む。
【００６６】
ある実施形態において、前記携帯ユーザデバイスはブルートゥースデバイスであり、前記識別子はブルートゥースＩＤである。
【００６７】
ある実施形態において、前記携帯ユーザデバイスは携帯電話である。
【００６８】
ある実施形態において、前記識別子は、ワイヤレスパーソナルエリアネットワーク（ＷＰＡＮ）規格に従って前記第２コンピューティングデバイスにおいて受け取られる。
【００６９】
第４局面において、本発明は、実行時に、請求項１〜４２のいずれか１項に記載の方法を実現するコンピュータプログラムコードを提供する。
【００７０】
第５局面において、本発明は、前記コンピュータコードを備えるコンピュータで読み取り可能な記憶媒体を提供する。
【図面の簡単な説明】
【００７１】
【図１】データ通信方法の実施形態のフロー図である。
【図２】第２コンピューティングデバイスから見たデータ通信方法の実施形態のフロー図である。
【図３】データ通信システムの実施形態の概略図である。
【図４】教師のコンピュータの追加要素を示す概略図である。
【図５】データ通信システムの他の実施形態の概略図である。
【図６】ユーザ登録プロセスを示すフロー図である。
【図７】メンバについて記憶された情報を示す概略図である。
【図８】図５のＰＯＳ端末の要素を示す概略図である。
【図９】メンバのブルートゥースメディアアクセスコントロール（ＭＡＣ）アドレスを用いてポイントサービス情報を通信するプロセスを示すフロー図である。
【発明を実施するための形態】
【００７２】
本発明は、添付の図面を参照して例示的に説明される。
【００７３】
図１は、データ通信方法１００の実施形態の方法をフロー図として大きくまとめている。最初のステップとして、第１ユーザデータが、第１コンピューティングデバイスからデータストレージへ通信される（１１０）。典型的には、第１コンピューティングデバイスは、ブルートゥースモジュール（ブルートゥースＵＳＢアダプタまたは組み込まれたブルートゥースネットワークカードのような）を有するコンピュータである。本データ通信方法の応用例に依存して、第１ユーザデータは、第１ユーザの学校の宿題、第１ユーザの学校の電子ファイル（e-files）、第１ユーザの顧客アカウントの詳細、第１ユーザのメン
バ資格の詳細、第１ユーザのプリペイドアカウントの詳細、第１ユーザのギフトカードの詳細などである。典型的には、第１コンピューティングデバイスからデータストレージへの第１ユーザデータの通信は、インターネットのような第１通信ネットワークを介してであり、第１ユーザデータは、第１コンピューティングデバイスからデータストレージへとアップロードされる。
【００７４】
それから第１ユーザデータは、携帯ユーザデバイスの識別子と関連付けられる（１２０）。こうすることで、携帯ユーザデバイスの識別子によって、第１ユーザデータを識別することができる。典型的には携帯ユーザデバイスは、携帯電話であり、識別子はブルートゥースＩＤである。場合によっては、識別子を認証するのが望ましいかもしれない。例えば、もし第１ユーザデータが、第１ユーザを知らない誰かによってアクセスされようとしたときなどである。認証を可能にする一つの方法は、ユーザの第１画像を識別子と関連付けることである。このようにすれば、第２ユーザは、携帯ユーザデバイスの識別子によってだけではなく、第１画像を実際の人物と照合させることによっても第１ユーザの存在を認証することができる。
【００７５】
第１ユーザデータにアクセスするために、携帯ユーザデバイスからの識別子は、第２コンピューティングデバイスに送信される（１３０）。典型的には、この送信は、ブルートゥース規格（IEEE Standard 802.15xとも呼ばれる）に従って行われる。携帯電話のような携帯ユーザデバイスについては、ブルートゥース送信ができるようにユーザが電話を設定することによって、送信が行われる。しかし当業者なら、送信は任意の他のワイヤレスパーソナルエリアネットワーク（ＷＰＡＮ）規格を用いて行うことができることがわかるだろう。識別子は、ブルートゥースＩＤ（ブルートゥースＭＡＣアドレスのような）、ＩＰアドレス、または携帯ユーザデバイスのシリアルナンバーであり得ることが想定されている。
【００７６】
いったん識別子が第２コンピューティングデバイスに送信されると、この識別子に基づいて、第１ユーザデータについてのリクエストが第２コンピューティングデバイスにおいてなされ得る（１４０）。たいていの場合、このリクエストは、第１データをデータストレージから第２コンピューティングデバイスへ通信するためである。しかしこれには限られず、このリクエストは、第１ユーザデータの通信のためではなく、第１ユーザデータのステータスをリクエストするだけであってもよいと想定される。加えて、第１ユーザデータは、第２コンピューティングデバイスにおいて変更された後、第１ユーザデータをアップデートするために、第２コンピューティングデバイスからデータストレージへと戻るように通信され得る。
【００７７】
さらに、ユーザが第１データの通信をリクエストする場合、そのリクエストは、第２コンピューティングデバイスではない他のコンピューティングデバイスへの第１ユーザデータの通信についてなされてもよい。
【００７８】
また、このリクエストをするユーザは、第１ユーザではなくてもよく、第２ユーザが第２コンピューティングデバイスにおいて第１ユーザデータについてのリクエストを行い得ることが想定される。例えば、第２ユーザは、第１ユーザデータが第１コンピューティングデバイスからデータストレージへ予め決められた期間内に通信されたことを確認するために、データストレージをチェックするためのリクエストを行うことができる。当業者なら任意の通信またはユーザデータも第三者機関によって収集され得ることがわかるだろう。
【００７９】
典型的には、第２コンピューティングデバイスへの通信、または他のコンピューティングデバイスへの通信は、第２通信ネットワークを介する。ある実施形態では、この第２通信ネットワークは、ローカルエリアネットワークであり、第１ユーザデータはデータストレージからコピーされる。他の実施形態では、この第２通信ネットワークは、ローカルエリアネットワークおよびインターネットの両方を通しての通信を可能にする仮想プライベートネットワーク（ＶＰＮ）であり、第１ユーザデータは、このＶＰＮを介してデータストレージからダウンロードされる。第１および第２通信ネットワークは、同じネットワークであってもよいことが当業者にわかるだろう。例えば、通信は、インターネットだけを介してもよい。
【００８０】
最後に、第２コンピューティングデバイスにおいて第１ユーザデータについてのリクエストを行った後で、情報は、携帯ユーザデバイスへも送信され得る。典型的には、この情報は、広告、販売促進用クーポン、および個人的なリマインダーを含み得る。この情報は、第１ユーザデータの内容に依存して、または識別子が受け取られる場所に依存して、特定のユーザに特化されてもよいことが想定されている。加えて、第２コンピューティングデバイスは、第２コンピューティングデバイスから離れている表示デバイスに接続され得ることも想定されている。例えばＬＣＤディスプレイは、スーパーマーケット内の通路に、第２コンピューティングデバイスから離れて配置されることによって、ユーザが通路を歩くときにユーザが欲しい商品を見やすく表示するようになっていてもよい。
【００８１】
図２は、ある実施形態による第２コンピューティングデバイスによって実行されるステップを示すフロー図である。
【００８２】
まず、第１ユーザデータについての通信が第１コンピューティングデバイスから受け取られる（２１０）。それからデータは、携帯ユーザデバイスの識別子と関連付けて、第１ユーザデータに基づいて記憶される（２２０）。第２コンピューティングデバイスにおいて、この識別子が受け取られる（２３０）。それから識別子に基づいて、第１ユーザデータについてのリクエストが第２コンピューティングデバイスにおいてなされる（２４０）。
【００８３】
データ通信方法の実施形態は、ソフトウェア、ハードウェア、ファームウェア、またはこれらの組み合わせを含むさまざまなやり方でシステムとして実現または提供され得ることが当業者にはわかるだろう。加えて、本システムのステップを実現するよう構成される個別の要素（特定のモジュールのような）は、同一の態様で全て提供されなくてもよい。また本システムは、複数の国に配置されることなどによって、分散化され得ることにも留意されたい。
【００８４】
典型的には、ソフトウェアプログラムコードは、複数のコンピューティングデバイス上で実行されることによって、データ通信方法を実現し、それぞれのコンピューティングデバイスは、プロセッサ、ハードディスク、携帯ユーザデバイスインタフェース、ネットワークインタフェースなどのようなハードウェアを備える。例えば、データ通信方法の主要な要素は、２つのコンピューティングデバイス上にソフトウェアプログラム製品をインストールすることによって提供され得る。すなわち、（ｉ）第１コンピューティングデバイス内のプロセッサは、ハードディスク上にインストールされたソフトウェアプログラムを実行し、携帯ユーザデバイスインタフェースを介して携帯ユーザデバイスから送信を受け取り、かつネットワークインタフェースを介して接続されたデータストレージにユーザデータをアップロードし、かつ（ｉｉ）第２コンピューティングデバイス内のプロセッサは、第２コンピューティングシステムのハードディスクにインストールされたソフトウェアプログラムを実行し、第２コンピューティングシステムの携帯ユーザデバイスインタフェースを介して携帯ユーザデバイスから送信を受け取り、かつ第２コンピューティングシステムのネットワークインタフェースを介して、第２コンピューティングシステムにおいてユーザデータをダウンロードする。
【００８５】
第１例示的実施形態：  学生のためのブルートゥース仮想ブリーフケース
図３および図４は、データ通信システムの実施形態の概略図である。まず図３を参照すれば、データ通信システム１０は、第２コンピューティングデバイス６０およびデータコントローラ３０を備える。この実施形態において、第２コンピューティングデバイスは、教室内の教師のコンピュータであり、データコントローラは、学校のサーバ上に実現されている。教師のコンピュータ６０は、識別子受信機６２およびデータリクエスタ６４を備える。
【００８６】
学校のサーバ３０は、第１ユーザデータについての通信を第１コンピューティングデバイス２０から受け取り、携帯ユーザデバイス５０の識別子と関連付けて第１ユーザデータに基づいてデータを記憶するよう構成される。この実施形態では、第１ユーザは典型的には学生であり、第１ユーザデータは学生の宿題であり、第１コンピューティングデバイスは家にある学生のコンピュータである。携帯ユーザデバイスは学生の携帯電話５０であり、識別子はその携帯電話のブルートゥースＩＤである。
【００８７】
学生の宿題は、その学生の携帯電話のブルートゥースＩＤとさまざまなやりかたで関連付けられ得ることが当業者にはわかるだろう。例えば、学生は、１回だけ行われる学校のアカウントの登録プロセスのときに、ブルートゥースＩＤを自分の学校アカウント（school account）と関連付けてもよく、これはブルートゥースがイネーブルされた携帯電話を登録が行われる場所の近傍に単に置けばなされる。こうすることで、それから学生は、学生の家のコンピュータにおいて学校のアカウントにログインできるようになり、学生がそのブルートゥースＩＤと関連付けたい宿題を添付できるようになる。
【００８８】
識別子受信機６２は、携帯ユーザデバイスの識別子を受け取るように構成される。すなわち、識別子受信機６２は、ブルートゥースＩＤを学生の携帯電話５０から受け取るように構成される。データリクエスタ６４は、受け取られたブルートゥースＩＤに基づいて学生の宿題についてのリクエストをするように構成される。
【００８９】
この実施形態においては、教師のコンピュータ６０は、仮想プライベートネットワーク（ＶＰＮ）４２を介して学生の宿題についてのリクエストを行うように構成される。教師のコンピュータ６０は、学生の宿題についての通信が、学生のコンピュータ２０からある期間内に受け取られたことをチェックし検証するようにさらに構成される。
【００９０】
また、データリクエスタ６４は、データストレージ４０から教師のコンピュータ６０への学生の宿題の通信のためのリクエストを行うようにさらに構成される。
【００９１】
使用のときは、学校のサーバ３０は、学生の宿題についての通信を、家にある学生のコンピュータ２０からまず受け取る。典型的には、これは、家にある学生のコンピュータ２０から学校のデータベース４０への、学生の宿題の通信である。この実施形態では、学校のデータベースは、この実施形態におけるデータ通信システムの一部である。しかし代替の実施形態では、学校のデータベースは、データ通信システムの一部ではなく遠隔地に配置されたり、学校のサーバは、任意の指定されたデータストレージから、例えば第三者に管理されているウェブサーバからデータを受け取るように構成されていると想定される。この実施形態では、学生の宿題についての通信は、家にある学生のコンピュータ２０からインターネット２２を介して受け取られる。
【００９２】
学生の宿題についての通信が受け取られると、学校のサーバ３０は、学生の宿題に基づくデータを、学生の携帯電話５０のブルートゥースＩＤと関連付けて記憶する。これにより学校のサーバ３０は、その学生の宿題に関連付けられたブルートゥースＩＤを用いることによって、学生の宿題にアクセスできる。この実施形態では、学校のサーバ３０によって記憶されたデータは、学生の宿題の位置であり、よって学生の宿題は取り出すことができる。
【００９３】
学生の宿題にアクセスするために、教師のコンピュータ６０における識別子受信機６２は、学生の宿題に関連付けられたブルートゥースＩＤを受け取る。識別子受信機６２は、典型的にはブルートゥースＩＤを定期的に検出し、または所定の時刻においてブルートゥースＩＤを自動的に検出するように構成される。例えば授業の開始後、５分経ったときに検出する。それからデータリクエスタ６４は、受け取られたブルートゥースＩＤに基づいて学生の宿題についてのリクエストをする。場合によっては、データリクエスタ６４は、いったんブルートゥースＩＤが受け取られたら学生の宿題についてのリクエストを自動的に行うことも想定される。
【００９４】
図４は、図３の実施形態と共に用いられ得る、さらなるいくつかの要素を概略的に示す。例えば、学校のサーバ３０は、ブルートゥースＩＤを学生の写真と関連付けるようにさらに構成され得て、教師のコンピュータ６０は、教師のコンピュータ６０において受け取られたブルートゥースＩＤの認証を、写真に基づいて可能にする識別子認証機６６をさらに備えてもよい。この実施形態では、識別子認証機６６は、ブルートゥースＩＤが教師のコンピュータ６０で受け取られたときに、学生の写真をポップアップさせる。これにより教師は、その学生を知らない場合（例えばその教師が代理の教師である場合）であっても、教師のコンピュータ上の写真と教室の学生とを比較することによって、授業への学生の出席を容易に認証できる。
【００９５】
さらに、教師のコンピュータ６０は、教師のコンピュータ６０へ通信された学生の宿題を修正するように、または追加のユーザデータ（新しい宿題などに対するリクエストのような）を加えるように構成されたコントローラ６８をさらに備えてもよい。このコントローラ６８は、教師のコンピュータ６０から改変されて学校のデータベース４０に戻された学生の宿題と通信するようにも構成される。これにより教師は、学生の宿題をコメント、マークアップ及び／又は採点によってアップデートすることができ、同時に学生はこれらのアップデートされた宿題に家でアクセスすることができる。
【００９６】
最後に、学生の携帯電話５０が使用不能である場合（例えば携帯電話５０の電池が切れたり、正常に動作しなくなったりした場合）に備えて、バックアップシステム（バーコードナンバーなどを有するキーカードを用いる手段を含む）が提供され得ることも想定される。
【００９７】
第２実施形態：  買い物客のためのブルートゥース仮想ワレット
図５〜図９は、データ通信システムの他の実施形態を示す。まず図５を参照して、この実施形態では、登録キオスク２３の形をとる第１コンピューティングデバイスがある。典型的には、登録キオスクは、さまざまな小売店を有するショッピングモールの開放エリア内で利用可能なコンピューティングシステムである。この登録キオスク２３は、インターネット２２を介してデータ通信システムプロバイダのユーザサイト３３に接続するよう構成される。登録キオスク２３は、ブルートゥースＭＡＣアドレスをユーザの携帯電話５３から受け取るよう構成される。
【００９８】
登録キオスク２３に加えて、このシステムは、コンピュータ７３、および小売店における販売時点情報管理の（ＰＯＳ）端末６３の形をとる第２コンピューティングデバイスを備える。コンピュータ７３は、ＰＯＳ端末６３によって要求されるデータをインターネット２２を介して得るためのゲートウェイとして働く。ＰＯＳ端末６３は、ＰＯＳトランザクションを実行するよう構成され、小売店内にあるブルートゥースデバイスからのブルートゥースＭＡＣアドレスを検出するよう構成される。
【００９９】
システムは、データ通信システムプロバイダにおいて、セントラルデータベース４３およびユーザウェブサイト３３およびパートナーウェブサイト３４をホスティングするコンピューティングシステムも備える。ユーザウェブサイト３３は、ユーザがデータ通信システム１３のメンバとして登録できるように、またユーザが任意のユーザデータをセントラルデータベースにアップロードできるように構成される。パートナーウェブサイト３４は、セントラルデータベース４３に記憶されたユーザデータにアクセスするために、小売店のようなサードパーティの組織をサインアップするよう構成される。このコンピューティングシステムは、ユーザウェブサイト３３およびパートナーウェブサイト３４を介して集められたデータをセントラルデータベース４３へ通信するよう構成される。
【０１００】
図６は、ユーザが、登録キオスク２３を用いてユーザウェブサイト３３にアクセスすることによって、データ通信システム１３のメンバとしてどうやって登録するかを要約するフロー図である。まず、ユーザは、ユーザＩＤおよびＰＩＮを作る（３０５）。バイオメトリクス又はキーカード（例えばバーコードなどを有する）がＰＩＮの代わりとして用いられ得ることが当業者にはわかるだろう。次にユーザは、自分の携帯電話番号を含む詳細を入力する（３１０）。それからユーザの写真が登録キオスクからインターネットを介してセントラルデータベースにアップロードされる（３２０）。登録キオスクは、ユーザの写真を撮る手段を備えていてもよい。
【０１０１】
ユーザのブルートゥースＭＡＣアドレスを検出するために、ブルートゥースＭＡＣアドレス検出器がそれから起動される（３３０）。典型的には、これはウェブアプレットによる。検出されたブルートゥースＭＡＣアドレスは、それからユーザと関連付けられる（３４０）。正しいブルートゥースＭＡＣアドレスが検出されたことを確認するために、ショートメッセージングサービス（ＳＭＳ）メッセージが携帯電話に送られる（３５０）。正しいブルートゥースＭＡＣアドレスが検出されたことを確認してから、ユーザは、任意のポイントサービス（loyalty program）情報をアップロードする（３６０）。このポイントサービス情報は、登録の間に得られた他の情報と共にインターネット２２を介してセントラルデータベース４３に通信される。
【０１０２】
図７は、セントラルデータベース４３内に記憶された、登録されたメンバに関する情報を備える「ブルートゥースワレット」を示す概略図である。メンバの情報は、ユーザＩＤ９１、ブルートゥースＭＡＣアドレス９２、ユーザの写真９３、ユーザＰＩＮ９４、携帯電話の番号を含むユーザの詳細９５、およびポイントサービス情報９６を含む。好みのブランド、欲しい商品、興味などのようなメンバに関する他の情報がセントラルデータベース４３内に記憶されてもよいことが想定される。このような他の情報は、メンバによって入力されてもよく、あるいはメンバがデータ通信システム使用することによって派生的に入力されてもよい。
【０１０３】
図８を次に参照すれば、図５のＰＯＳ端末６３がより詳細に示されている。まず、ＰＯＳ端末は、ブルートゥースＭＡＣアドレスを検出するよう構成されるブルートゥースインタフェース６５、およびインターネットと通信するよう構成されるネットワークインタフェース６７を備える。
【０１０４】
加えてＰＯＳ端末６３は、小売店内のブルートゥースデバイスのＭＡＣアドレスを検出するよう構成されるブルートゥースＭＡＣアドレス検出器８０、例えばＰＯＳ端末に近いブルートゥースＭＡＣアドレスだけを検出するよう、検出のレンジを調整するよう構成されるレンジ調整器８２、コンピュータ７３を介してセントラルデータベース４３と通信するセントラルデータベースコネクタ８４、それぞれの移動ＭＡＣアドレスに基づいて、登録されたユーザを識別するよう構成されるユーザ識別器８６、およびＰＯＳ端末および任意のＰＯＳトランザクションシステムの間での情報又はデータのやりとりを促進するために、ＰＯＳトランザクションシステムと統合するよう構成されるデータトランザクションインテグレータ８８を含むいくつかのソフトウェアモジュールも備える。
【０１０５】
図９は、メンバのブルートゥースＭＡＣアドレスを用いてポイントサービス情報を通信するプロセスを示すフロー図である。
【０１０６】
プロセスは、データ通信システムと用いるよう登録されたＰＯＳ端末においてメンバがトランザクションを開始する時に始まる（９００）。まずＰＯＳ端末の操作者は、その近傍にあるブルートゥースＭＡＣアドレスを検出する（９０５）。次にＰＯＳ端末は、検出されたブルートゥースＭＡＣアドレスのうちの少なくとも１つに基づいて、セントラルデータベースに問い合わせをする（９１０）。もし検出されたブルートゥースＭＡＣアドレスの全てが、システムのメンバのブルートゥースＭＡＣアドレスのどれとも関連付けられていないなら、ＰＯＳ端末において、その顧客に対してデータ通信システムを使うためにサインアップするよう提案がなされる。もし検出されたＭＡＣアドレスのうち２以上がシステムのメンバと関連付けられているなら、それぞれのブルートゥースＭＡＣアドレスに関連付けられた写真が操作者に提示される（９３０）。それから操作者は、セントラルデータベースに記憶されたメンバの写真とその顧客とを照らし合わせることによって適切なメンバ情報を決定する（９４０）。トランザクションを完了するために、顧客はＰＩＮを入力し、自分が本当にシステムのメンバであることを証明する（９５０）。ポイントサービス情報のようなユーザデータがＰＯＳ端末にそれからダウンロードされる（９６０）。
【０１０７】
さらなるアプリケーションの例
前述の実施形態の他に、本発明の実施形態の１つ以上は、接客業、セキュリティ業、運輸業などのさまざまな局面に応用され得る。加えて、実施形態は、政府用役（社会保障および医療保障を含む）を提供するのにも用いられ得る。
【０１０８】
効果
本発明の１つ以上の実施形態の効果は、データストレージ中に記憶された第１ユーザデータのリクエストをするために、コンピューティングデバイスにおいてユーザが必要とする時間および労力を低減できることである。これは、ユーザが自分の身分を証明すること（例えばカードをスワイプしたり、ユーザログインのために入力したりすることなど）のために長時間を費やしたり、データを選択したりするのが望ましくはないか、又は必要でないような場合に有利なことである。
【０１０９】
他の効果は、ユーザのために特化された情報が、ユーザの位置に依存してユーザへ送信され得ることである。
【０１１０】
他の効果は、仮に第２ユーザが第１ユーザを知らなくても、第１ユーザがその場に居ることを、第１ユーザの画像を用いて第２ユーザが認証できることである。
【０１１１】
変形例
多くの変形を上記実施形態に施すことができること、特に、さまざまな実施形態および例の特徴は、さらなる実施形態を構成するよう組み合わせることができることが当業者には理解できるだろう。
【０１１２】
データ通信方法のさらなる局面は、データ通信システムの実施形態の上記記載から明らかだろう。データ通信システムは、プログラムコードで実現され得ることも当業者にはわかるだろう。プログラムコードは、例えばディスクまたはメモリのようなコンピュータで読み取り可能な記憶媒体を含む１つ以上のソフトウェアプログラム製品として、またはデータ信号（例えばサーバから送信することによる）としてさまざまなやり方で供給され得る。例えば、データ通信システムは、２つのソフトウェアプログラム製品によって提供され得る。すなわち、（ｉ）第１コンピューティングデバイス上で実行されることによって、ユーザデータを第１コンピューティングデバイスからデータストレージへ通信するソフトウェアプログラムが第１コンピューティングデバイス上にインストールされるよう構成されたプログラムコードを含む第１ソフトウェアプログラム製品、および（ｉｉ）第２コンピューティングデバイス上で実行されることによって、携帯ユーザデバイスからの識別子に基づいてユーザデータについてのリクエストをするソフトウェアプログラムが第２コンピューティングデバイス上にインストールされるよう構成されたプログラムコードを含む第２ソフトウェアプログラム製品の２つのソフトウェアプログラム製品によって提供され得る。
【０１１３】
以下の特許請求の範囲、および本発明の上記記載において、明示的な文言でまたは必要な黙示のために文脈がそうではないことを要求する場合を除き、「備える（comprise）」という語または「備える（comprises）」または「備える（comprising）」のような変化
形は、包含する意味で用いられ、すなわち規定された特徴の存在を特定するために用いられるのであって、本発明のさまざまな実施形態においてさらなる特徴の存在や追加を除外するために用いられるのではない。
【０１１４】
ここでの従来技術文献への言及は、その文献がその分野における周知技術の一部を成すことの自認を構成しないことが理解されるべきである。
【図１】
2015072702.tif 000003
【図２】
2015072702.tif 000004
【図３】
2015072702.tif 000005
【図４】
2015072702.tif 000006
【図５】
2015072702.tif 000007
【図６】
2015072702.tif 000008
【図７】
2015072702.tif 000009
【図８】
2015072702.tif 000010
【図９】
2015072702.tif 000011
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
データ通信方法であって、
携帯ユーザデバイスのブルートゥースメディアアクセスコントロール（ＭＡＣ）アドレスを前記携帯ユーザデバイスから、第１コンピューティングデバイスの第１ブルートゥースＭＡＣアドレス検出器によってブルートゥースを用いて検出すること、
第１ユーザデータ、および前記携帯ユーザデバイスから前記第１コンピューティングデバイスの前記第１ブルートゥースＭＡＣアドレス検出器によって検出された前記ブルートゥースＭＡＣアドレスを、前記第１コンピューティングデバイスからデータストレージへ通信すること、
前記通信された第１ユーザデータを前記通信されたブルートゥースＭＡＣアドレスと関連付けて前記データストレージに記憶すること、
前記携帯ユーザデバイスの前記ブルートゥースＭＡＣアドレスを、ブルートゥースを用いて前記携帯ユーザデバイスから、前記データストレージとデータ通信している第２コンピューティングデバイスの第２ブルートゥースＭＡＣアドレス検出器によって検出すること、および
ブルートゥースを用いて前記携帯ユーザデバイスから、前記第２コンピューティングデバイスの前記第２ブルートゥースＭＡＣアドレス検出器によって検出された前記ブルートゥースＭＡＣアドレスに基づいて、前記通信されたブルートゥースＭＡＣアドレスと関連付けて前記データストレージに記憶された前記第１ユーザデータについてのリクエストを前記第２コンピューティングデバイスにおいて行うこと
を含む方法。
【請求項２】
前記リクエストは、前記データストレージからの前記第１ユーザデータの通信に関する請求項１に記載の方法。
【請求項３】
前記リクエストは、前記第２コンピューティングデバイスへの前記第１ユーザデータの通信に関する
請求項１または２に記載の方法。
【請求項４】
前記リクエストは、前記第１ユーザデータのステータスに関する
請求項１に記載の方法。
【請求項５】
前記第１ユーザデータについてなされた前記リクエストは、第２ユーザによって実行される
請求項１〜４のいずれか１項に記載の方法。
【請求項６】
前記第１ユーザデータは、前記第１コンピューティングデバイスから前記データストレージへ第１通信ネットワークを介して通信される
請求項１〜５のいずれか１項に記載の方法。
【請求項７】
前記第１通信ネットワークはインターネットであり、前記第１ユーザデータは、前記第１コンピューティングデバイスから前記データストレージへアップロードされる
請求項６に記載の方法。
【請求項８】
前記第１ユーザデータは、前記データストレージから前記第２コンピューティングデバイスへ第２通信ネットワークを介して通信される
請求項１〜７のいずれか１項に記載の方法。
【請求項９】
前記第２通信ネットワークはローカルエリアネットワークであり、前記第１ユーザデータは、前記データストレージから前記第２コンピューティングデバイスへコピーされる
請求項８に記載の方法。
【請求項１０】
前記第２通信ネットワークはインターネットであり、前記第１ユーザデータは、前記データストレージから前記第２コンピューティングデバイスへダウンロードされる
請求項８に記載の方法。
【請求項１１】
前記データストレージをチェックすることによって、前記第１ユーザデータが前記第１コンピューティングデバイスから前記データストレージへある期間内に通信されたことを検証すること
をさらに含む請求項１〜１０のいずれか１項に記載の方法。
【請求項１２】
前記ブルートゥースＭＡＣアドレスをユーザの第１画像と関連付けること、および
前記第１画像に基づいて前記携帯ユーザデバイスから検出された前記ブルートゥースＭＡＣアドレスを認証すること
をさらに含む請求項１〜１１のいずれか１項に記載の方法。
【請求項１３】
前記データストレージから通信された第１ユーザデータを改変すること、および
改変された前記第１ユーザデータを前記第２コンピューティングデバイスから前記データストレージへ通信すること
をさらに含む請求項８〜１２のいずれか１項に記載の方法。
【請求項１４】
情報を前記携帯ユーザデバイスへ送信すること
をさらに含む請求項１〜１３のいずれか１項に記載の方法。
【請求項１５】
前記携帯ユーザデバイスへ送信された前記情報は、広告、販売促進用クーポン、および個人的なリマインダーからなるグループのうちの少なくとも１つを含む
請求項１４に記載の方法。
【請求項１６】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項１〜１５のいずれか１項に記載の方法。
【請求項１７】
前記携帯ユーザデバイスはブルートゥースデバイスであり、前記ブルートゥースＭＡＣアドレスはブルートゥースＩＤである
請求項１〜１６のいずれか１項に記載の方法。
【請求項１８】
前記携帯ユーザデバイスは携帯電話である
請求項１〜１７のいずれか１項に記載の方法。
【請求項１９】
前記携帯ユーザデバイスを送信可能なように設定すること
をさらに含む請求項１〜１８のいずれか１項に記載の方法。
【請求項２０】
前記携帯ユーザデバイスは、前記携帯ユーザデバイスのユーザによって設定されるよう構成される
請求項１９に記載の方法。
【請求項２１】
前記ブルートゥースＭＡＣアドレスは、ワイヤレスパーソナルエリアネットワーク（ＷＰＡＮ）規格に従って、前記第２コンピューティングデバイスの前記第２ブルートゥース
ＭＡＣアドレス検出器によって、前記携帯ユーザデバイスから検出される
請求項１〜２０のいずれか１項に記載の方法。
【請求項２２】
データ通信方法であって、
第１ユーザデータ、および携帯ユーザデバイスのブルートゥースメディアアクセスコントロール（ＭＡＣ）アドレスを第１コンピューティングデバイスから受け取ることであって、前記ブルートゥースＭＡＣアドレスは、ブルートゥースを用いて前記第１コンピューティングデバイスの第１ブルートゥースＭＡＣアドレス検出器によって前記携帯ユーザデバイスから以前に検出されている、ブルートゥースＭＡＣアドレスを受け取ることと、
前記受け取られたブルートゥースＭＡＣアドレスと関連付けて、前記受け取られた第１ユーザデータをデータストレージに記憶すること、
ブルートゥースを用いて、前記データストレージとデータ通信している第２コンピューティングデバイスの第２ブルートゥースＭＡＣアドレス検出器によって、前記携帯ユーザデバイスの前記ブルートゥースＭＡＣアドレスを、前記携帯ユーザデバイスから検出すること、および
ブルートゥースを用いて、前記第２コンピューティングデバイスの前記第２ブルートゥースＭＡＣアドレス検出器によって検出された前記ブルートゥースＭＡＣアドレスに基づいて、前記受け取られたブルートゥースＭＡＣアドレスと関連付けて前記データストレージに記憶された前記第１ユーザデータについてのリクエストを前記第２コンピューティングデバイスにおいて行うこと
を含む方法。
【請求項２３】
前記第１ユーザデータの位置を記憶することによって、前記位置が取り出され得るようにすること
をさらに含む請求項２２に記載の方法。
【請求項２４】
前記リクエストは、前記データストレージからの前記第１ユーザデータの通信についてである
請求項２２に記載の方法。
【請求項２５】
前記リクエストは、前記第２コンピューティングデバイスへの前記第１ユーザデータの通信についてである
請求項２２〜２４のいずれか１項に記載の方法。
【請求項２６】
前記リクエストは、前記第１ユーザデータのステータスについてである
請求項２２〜２３のいずれか１項に記載の方法。
【請求項２７】
前記第１ユーザデータについてなされた前記リクエストは、第２ユーザによって実行される
請求項２２〜２６のいずれか１項に記載の方法。
【請求項２８】
前記第１ユーザデータについての前記通信は、前記第１コンピューティングデバイスから第１通信ネットワークを介して受け取られる
請求項２２〜２７のいずれか１項に記載の方法。
【請求項２９】
前記第１通信ネットワークはインターネットであり、前記第１ユーザデータは、前記第１コンピューティングデバイスから前記データストレージへアップロードされる
請求項２８に記載の方法。
【請求項３０】
前記第１ユーザデータについての前記リクエストは、第２通信ネットワークを介して前記第２コンピューティングデバイスにおいてなされる
請求項２２〜２９のいずれか１項に記載の方法。
【請求項３１】
前記第２通信ネットワークはローカルエリアネットワークであり、前記第１ユーザデータは、前記第２コンピューティングデバイスへコピーされる
請求項３０に記載の方法。
【請求項３２】
前記第２通信ネットワークはインターネットであり、前記第１ユーザデータは、前記第２コンピューティングデバイスにおいてダウンロードされる
請求項３０に記載の方法。
【請求項３３】
前記第１ユーザデータについての通信が前記第１コンピューティングデバイスからある期間内に受け取られたことをチェックし検証すること
をさらに含む請求項２２〜３２のいずれか１項に記載の方法。
【請求項３４】
前記ブルートゥースＭＡＣアドレスをユーザの第１画像と関連付けること、および
前記第１画像に基づいて前記第２コンピューティングデバイスの前記第２ブルートゥースＭＡＣアドレス検出器によって検出された前記ブルートゥースＭＡＣアドレスを認証すること
をさらに含む請求項２２〜３３のいずれか１項に記載の方法。
【請求項３５】
前記第２コンピューティングデバイスへ通信された第１ユーザデータを改変すること、および
改変された前記第１ユーザデータを前記第２コンピューティングデバイスからデータストレージへ通信すること
をさらに含む請求項３１〜３４のいずれか１項に記載の方法。
【請求項３６】
情報を前記携帯ユーザデバイスへ送信すること
をさらに含む請求項２２〜３５のいずれか１項に記載の方法。
【請求項３７】
前記携帯ユーザデバイスへ送信された前記情報は、広告、販売促進用クーポン、および個人的なリマインダーからなるグループのうちの少なくとも１つを含む
請求項３６に記載の方法。
【請求項３８】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項２２〜３７のいずれか１項に記載の方法。
【請求項３９】
前記携帯ユーザデバイスはブルートゥースデバイスであり、前記ブルートゥースＭＡＣアドレスはブルートゥースＩＤである
請求項２２〜３８のいずれか１項に記載の方法。
【請求項４０】
前記携帯ユーザデバイスは携帯電話である
請求項２２〜３９のいずれか１項に記載の方法。
【請求項４１】
前記ブルートゥースＭＡＣアドレスは、ワイヤレスパーソナルエリアネットワーク（ＷＰＡＮ）規格に従って前記第２コンピューティングデバイスの前記第２ブルートゥースＭＡＣアドレス検出器によって検出される
請求項２２〜４０のいずれか１項に記載の方法。
【請求項４２】
データコントローラであって、
第１ユーザデータ、および携帯ユーザデバイスのブルートゥースメディアアクセスコントロール（ＭＡＣ）アドレスを第１コンピューティングデバイスから受け取り、前記ブルートゥースＭＡＣアドレスは、ブルートゥースを用いて前記第１コンピューティングデバイスの第１ブルートゥースＭＡＣアドレス検出器によって前記携帯ユーザデバイスから以前に検出されている、ブルートゥースＭＡＣアドレスを受け取り、
前記受け取られたブルートゥースＭＡＣアドレスと関連付けて、前記受け取られた第１ユーザデータをデータストレージに記憶する
データコントローラと、
前記データストレージとデータ通信している第２コンピューティングデバイスであって、
（ｉ）ブルートゥースを用いて、前記携帯ユーザデバイスの前記ブルートゥースＭＡＣアドレスを前記携帯ユーザデバイスから検出する第２ブルートゥースＭＡＣアドレス検出器、および
（ｉｉ）ブルートゥースを用いて、前記第２ブルートゥースＭＡＣアドレス検出器によって検出された前記ブルートゥースＭＡＣアドレスに基づいて、前記受け取られたブルートゥースＭＡＣアドレスと関連付けて前記データストレージに記憶された前記第１ユーザデータについてのリクエストを行うデータリクエスタ
を有する第２コンピューティングデバイスと
を備えるデータ通信システム。
【請求項４３】
前記第１ユーザデータを記憶するデータストレージをさらに備える請求項４２に記載のシステム。
【請求項４４】
前記データコントローラは、前記第１ユーザデータの位置を記憶することによって、前記位置が取り出され得るようにする
請求項４２に記載のシステム。
【請求項４５】
前記データリクエスタは、前記ブルートゥースＭＡＣアドレスの受け取りに応答してリクエストを行う
請求項４２〜４４のいずれか１項に記載のシステム。
【請求項４６】
前記リクエストは、前記データストレージからの前記第１ユーザデータの通信のためである
請求項４３に記載のシステム。
【請求項４７】
前記リクエストは、前記第２コンピューティングデバイスへの前記第１ユーザデータの通信のためである
請求項４２〜４６のいずれか１項に記載のシステム。
【請求項４８】
前記リクエストは、前記第１ユーザデータのステータスのためである
請求項４２〜４５のいずれか１項に記載のシステム。
【請求項４９】
前記データリクエスタは、第２ユーザが前記リクエストを行えるようさらに構成される請求項４２〜４８のいずれか１項に記載のシステム。
【請求項５０】
前記データリクエスタは、第１ユーザデータについての前記通信は、前記第１コンピューティングデバイスから第１通信ネットワークを介して受け取られる
請求項４２〜４９のいずれか１項に記載のシステム。
【請求項５１】
前記第１通信ネットワークはインターネットであり、前記第１ユーザデータは、前記第１コンピューティングデバイスから前記データストレージへアップロードされる
請求項５０に記載のシステム。
【請求項５２】
前記データコントローラは、第２通信ネットワークを介して第１ユーザデータについてリクエストするようさらに構成される
請求項４２〜５１のいずれか１項に記載のシステム。
【請求項５３】
前記第２通信ネットワークはローカルエリアネットワークであり、前記第１ユーザデータは、前記第２コンピューティングデバイスへコピーされる
請求項５２に記載のシステム。
【請求項５４】
前記第２通信ネットワークはインターネットであり、前記第１ユーザデータは、前記第２コンピューティングデバイスにおいてダウンロードされる
請求項５２に記載のシステム。
【請求項５５】
前記データコントローラは、前記第１ユーザデータについての通信が前記第１コンピューティングデバイスからある期間内に受け取られたことをチェックし検証するようさらに構成される
請求項４２〜５４のいずれか１項に記載のシステム。
【請求項５６】
前記データコントローラは、前記ブルートゥースＭＡＣアドレスをユーザの第１画像と関連付けるようさらに構成され、かつ
前記第２コンピューティングデバイスは、前記第１画像に基づいて、前記第２コンピューティングデバイスの前記第２ブルートゥースＭＡＣアドレス検出器によって検出された前記ブルートゥースＭＡＣアドレスを認証するブルートゥースＭＡＣアドレス認証機をさらに備える
請求項４２〜５５のいずれか１項に記載のシステム。
【請求項５７】
前記第２コンピューティングデバイスは、前記第２コンピューティングデバイスへ通信された第１ユーザデータを改変し、かつ改変された前記第１ユーザデータを前記第２コンピューティングデバイスからデータストレージへ通信する第２データコントローラをさらに備える
請求項５２〜５６のいずれか１項に記載のシステム。
【請求項５８】
前記データコントローラは、情報を前記携帯ユーザデバイスへ送信するようさらに構成される
請求項４２〜５７のいずれか１項に記載のシステム。
【請求項５９】
前記携帯ユーザデバイスへ送信された情報は、広告、販売促進用クーポン、および個人的なリマインダーからなるグループのうちの少なくとも１つを含む
請求項４２に記載のシステム。
【請求項６０】
前記第１ユーザデータは、ユーザの学校の宿題、ユーザの学校の電子ファイル、ユーザの顧客アカウントの詳細、ユーザのメンバ資格の詳細、ユーザのプリペイドアカウントの詳細、およびユーザのギフトカードの詳細からなるグループのうちの少なくとも１つを含む
請求項４２〜５９のいずれか１項に記載のシステム。
【請求項６１】
前記携帯ユーザデバイスはブルートゥースデバイスであり、前記ブルートゥースＭＡＣ
アドレスはブルートゥースＩＤである
請求項４２〜６０のいずれか１項に記載のシステム。
【請求項６２】
前記携帯ユーザデバイスは携帯電話である
請求項４２〜６１のいずれか１項に記載のシステム。
【請求項６３】
前記ブルートゥースＭＡＣアドレスは、ワイヤレスパーソナルエリアネットワーク（ＷＰＡＮ）規格に従って前記第２コンピューティングデバイスの第２ブルートゥースＭＡＣアドレス検出器によって検出される
請求項４２〜６２のいずれか１項に記載のシステム。
【請求項６４】
実行時に、請求項１〜４１のいずれか１項に記載の方法を実現するコンピュータプログラムコード。
【請求項６５】
請求項６４に記載のコンピュータコードを備えるコンピュータで読み取り可能な記憶媒体。